(57)【特許請求の範囲】
【請求項１】
遊技盤に設けられ、パチンコ球が入賞することが可能な入賞口と、
パチンコ球が前記入賞口に入賞することに基づいて入賞信号を出力する入賞センサと、
パチンコ球が貯留された球タンクと、
前記球タンク内からパチンコ球が供給されるものであって、球払出しモータを有すると共にパチンコ球を１個ずつ放出することで上皿内に払出す払出し装置と、
前記払出し装置からパチンコ球が放出される毎に払出し信号を出力する払出しセンサと、
パチンコホールの電源装置から与えられる主電源に基づいて駆動電源を生成する整流回路およびＤＣ／ＤＣ回路が搭載された電源基板と、
前記駆動電源の電圧レベルを監視するものであって、前記駆動電源の電圧レベルがリセットレベルに上昇することに基づいてリセット信号を出力するリセット回路と、
前記リセット回路から出力されるリセット信号を遅延して出力する遅延回路と、
前記電源基板に搭載され、操作されることに基づいて初期化信号を出力する初期化スイッチと、
前記電源基板から前記駆動電源が印加されるものであって、賞球カウンタと払出しカウンタと払出し確認カウンタのそれぞれを保管しておくための賞球エリアが設定されたＲＡＭを有すると共に前記主電源が投入された場合には前記リセット回路から前記遅延回路を通して前記リセット信号が与えられることに基づいて起動して下記１）〜８）のそれぞれの処理を行うメイン制御装置と、
１）前記入賞センサから前記入賞信号が出力されたか否かを判断する処理
２）前記入賞センサから前記入賞信号が出力されたと判断する毎に前記賞球カウンタの計測結果に予め決められた値を加算し、前記賞球カウンタの加算結果を前記ＲＡＭの賞球エリアに保管する処理
３）前記賞球カウンタの計測結果が予め決められた値「１」以上であるか否かを判断する処理
４）前記賞球カウンタの計測結果が予め決められた値「１」以上であると判断した場合にフラグが予め決められた第１の値に設定されているか否かを判断する処理
５）前記フラグが前記第１の値に設定されていると判断した場合に前記賞球カウンタの計測結果を前記払出しカウンタに設定し、前記払出しカウンタの設定結果を前記ＲＡＭの賞球エリアに保管する処理
６）前記賞球カウンタの計測結果を前記払出しカウンタに設定した場合に前記払出しカウンタの設定結果を前記払出し確認カウンタに設定し、前記払出し確認カウンタの設定結果を前記ＲＡＭの賞球エリアに保管する処理
７）前記払出しカウンタの設定結果を前記払出し確認カウンタに設定した場合にパチンコ球の払出し指令を送信すると共に前記払出しカウンタの設定結果をパチンコ球の払出し数として送信する処理
８）前記払出し指令および前記払出し数のそれぞれを送信した場合に前記フラグに前記第１の値とは異なる第２の値を設定し、前記５）の処理で前記賞球カウンタの計測結果を前記払出しカウンタに設定すること・前記６）の処理で前記払出しカウンタの設定結果を前記払出し確認カウンタに設定すること・前記７）の処理で前記払出し指令および前記払出し数を送信することのそれぞれを禁止する処理
前記メイン制御装置が搭載されたメイン回路基板と、
前記電源基板から前記駆動電源が印加されるものであって、払出し実行カウンタを保管しておくための払出しエリアが設定されたＲＡＭを有すると共に前記主電源が投入された場合には前記リセット回路から前記遅延回路を通すことなく前記リセット信号が与えられることに基づいて前記メイン制御装置に先立って起動して下記１１）〜１７）のそれぞれの処理を行う賞球制御装置と、
１１）前記メイン制御装置から前記払出し指令および前記払出し数のそれぞれが送信されたか否かを判断する処理
１２）前記メイン制御装置から前記払出し指令および前記払出し数のそれぞれが送信されたと判断した場合に前記払出し実行カウンタに前記払出し数の検出結果を設定する処理
１３）前記払出し実行カウンタに前記払出し数の検出結果を設定した場合に前記払出し装置の球払出しモータを単位量だけ駆動することで前記払出し装置から１個のパチンコ球を放出する処理
１４）前記払出し装置を駆動した場合に前記払出しセンサから前記払出し信号が出力されたか否かを判断する処理
１５）前記払出しセンサから前記払出し信号が出力されたと判断した場合に前記払出し実行カウンタから予め決められた値「１」を減算する処理
１６）前記払出し実行カウンタの減算結果が予め決められた値「０」であると判断するまで前記１３）の処理と前記１４）の処理と前記１５）の処理のそれぞれを繰返す処理
１７）前記払出し実行カウンタの減算結果が予め決められた値「０」であると判断した場合に前記メイン制御装置に前記払出し終了信号を送信する処理
前記賞球制御装置が搭載された賞球回路基板を備え、
前記メイン制御装置は、上記１）〜８）のそれぞれの処理に加えて下記２１）〜２７）のそれぞれの処理を行うものであり、
２１）前記払出しセンサから前記払出し信号が出力されたか否かを判断する処理
２２）前記払出しセンサから前記払出し信号が出力されたと判断した場合に前記払出しカウンタから予め決められた値「１」を減算する処理
２３）前記賞球制御装置から前記払出し終了信号が送信されたか否かを判断する処理
２４）前記賞球制御装置から前記払出し終了信号が送信されたと判断した場合に前記払出しカウンタの減算結果を予め決められた値「０」と比較する処理
２５）前記払出しカウンタの減算結果が予め決められた値「０」でないと判断した場合にパチンコホールのホストコンピュータに異常信号を送信する処理
２６）前記払出しカウンタの減算結果が予め決められた値「０」であると判断した場合および予め決められた値「０」でないと判断した場合のそれぞれで前記賞球カウンタの最新の計測結果から前記払出し確認カウンタの設定結果を減算する処理
２７）前記賞球カウンタの最新の計測結果から前記払出し確認カウンタの設定結果を減算した場合に前記フラグを前記第２の値から前記第１の値に変更し、前記５）の処理で前記賞球カウンタの計測結果を前記払出しカウンタに再設定すること・前記６）の処理で前記払出しカウンタの再設定結果を前記払出し確認カウンタに再設定すること・前記７）の処理で前記賞球制御装置に前記払出し指令および前記払出し数を再送信することのそれぞれを許容する処理
前記メイン回路基板には、前記主電源の遮断状態で前記メイン制御装置のＲＡＭにバックアップ電源を印加することに基づいて前記賞球カウンタと前記払出しカウンタと前記払出し確認カウンタのそれぞれをバックアップするバックアップ電源回路が搭載され、
前記賞球回路基板には、前記主電源の遮断状態で前記賞球制御装置のＲＡＭにバックアップ電源を印加することに基づいて前記払出し実行カウンタをバックアップするバックアップ電源回路が搭載され、
前記メイン制御装置は、
前記リセット回路から前記遅延回路を通して前記リセット信号が与えられることに基づいて起動したときには前記１）の処理を行う前に前記初期化スイッチから初期化信号が出力されているか否かを判断する処理を行うものであって、
前記初期化スイッチから初期化信号が出力されていると判断した場合には前記賞球カウンタと前記払出しカウンタと前記払出し確認カウンタのそれぞれのバックアップデータをリセットする処理を経て前記１）の処理へ移行し、前記初期化スイッチから初期化信号が出力されていないと判断した場合には当該バックアップデータをリセットする処理を経ることなく前記払出しカウンタのバックアップデータが予め決められた値「１」以上であると判断した場合に前記賞球制御装置に払出し指令を送信する停電復旧処理を経て前記１）の処理へ移行するものであり、
前記賞球制御装置は、
前記リセット回路から前記リセット信号が与えられることに基づいて起動したときには前記１１）の処理を行う前に前記初期化スイッチから初期化信号が出力されているか否かを判断する処理を行うものであって、
前記初期化スイッチから初期化信号が出力されていると判断した場合には前記払出し実行カウンタのバックアップデータをリセットする処理を経て前記１１）の処理へ移行し、前記初期化スイッチから初期化信号が出力されていないと判断した場合には当該バックアップデータをリセットする処理を経ることなく前記１１）の処理へ移行するものであることを特徴とする遊技機。
【発明の詳細な説明】
【０００１】
【発明の属する技術分野】
本発明は、メイン制御手段からサブ制御手段にパチンコ球の払出し指令を出力する構成のパチンコ機に関する。
【０００２】
【発明が解決しようとする課題】
上記パチンコ機には、サブ制御手段が払出し指令を検出することに基づいてパチンコ球の払出し装置を駆動し、払出し装置から上皿内に指令内容に応じた個数のパチンコ球を払出す構成のものがある。この構成の場合、払出し装置からパチンコ球が放出されることに基づいて払出しセンサからサブ制御手段に払出し信号を与え、サブ制御手段が払出し信号に基づいて払出し情報を取得しながら払出し装置を駆動している。このため、パチンコ球の払出し中に停電が生じると、払出し情報がなくなるので、指令内容に応じた正確な個数のパチンコ球を払い出すことができなくなる。
本発明は上記事情に鑑みてなされたものであり、その目的は、停電に影響されることなく正確な個数のパチンコ機を払出すことができるパチンコ機を提供することにある。
【０００３】
【課題を解決するための手段】
請求項１記載のパチンコ機は、遊技盤に設けられパチンコ球が入賞することが可能な入賞口と、パチンコ球が前記入賞口に入賞することに基づいて入賞信号を出力する入賞センサと、パチンコ球が貯留された球タンクと、前記球タンク内からパチンコ球が供給されるものであって球払出しモータを有すると共にパチンコ球を１個ずつ放出することで上皿内に払出す払出し装置と、前記払出し装置からパチンコ球が放出される毎に払出し信号を出力する払出しセンサと、パチンコホールの電源装置から与えられる主電源に基づいて駆動電源を生成する整流回路およびＤＣ／ＤＣ回路が搭載された電源基板と、前記駆動電源の電圧レベルを監視するものであって前記駆動電源の電圧レベルがリセットレベルに上昇することに基づいてリセット信号を出力するリセット回路と、前記リセット回路から出力されるリセット信号を遅延して出力する遅延回路と、前記電源基板に搭載され操作されることに基づいて初期化信号を出力する初期化スイッチと、前記電源基板から前記駆動電源が印加されるものであって賞球カウンタと払出しカウンタと払出し確認カウンタのそれぞれを保管しておくための賞球エリアが設定されたＲＡＭを有すると共に前記主電源が投入された場合には前記リセット回路から前記遅延回路を通して前記リセット信号が与えられることに基づいて起動して下記１）〜８）のそれぞれの処理を行うメイン制御装置と、前記メイン制御装置が搭載されたメイン回路基板と、前記電源基板から前記駆動電源が印加されるものであって払出し実行カウンタを保管しておくための払出しエリアが設定されたＲＡＭを有すると共に前記主電源が投入された場合には前記リセット回路から前記遅延回路を通すことなく前記リセット信号が与えられることに基づいて前記メイン制御装置に先立って起動して下記１１）〜１７）のそれぞれの処理を行う賞球制御装置と、前記賞球制御装置が搭載された賞球回路基板を備え、前記メイン制御装置は下記１）〜８）のそれぞれの処理に加えて下記２１）〜２７）のそれぞれの処理を行うものであり、前記メイン回路基板には前記主電源の遮断状態で前記メイン制御装置のＲＡＭにバックアップ電源を印加することに基づいて前記賞球カウンタと前記払出しカウンタと前記払出し確認カウンタのそれぞれをバックアップするバックアップ電源回路が搭載され、前記賞球回路基板には前記主電源の遮断状態で前記賞球制御装置のＲＡＭにバックアップ電源を印加することに基づいて前記払出し実行カウンタをバックアップするバックアップ電源回路が搭載され、前記メイン制御装置は前記リセット回路から前記遅延回路を通して前記リセット信号が与えられることに基づいて起動したときには下記１）の処理を行う前に前記初期化スイッチから初期化信号が出力されているか否かを判断する処理を行うものであって前記初期化スイッチから初期化信号が出力されていると判断した場合には前記賞球カウンタと前記払出しカウンタと前記払出し確認カウンタのそれぞれのバックアップデータをリセットする処理を経て下記１）の処理へ移行し前記初期化スイッチから初期化信号が出力されていないと判断した場合には当該バックアップデータをリセットする処理を経ることなく前記払出しカウンタのバックアップデータが予め決められた値「１」以上であると判断した場合に前記賞球制御装置に払出し指令を送信する停電復旧処理を経て下記１）の処理へ移行するものであり、前記賞球制御装置は前記リセット回路から前記リセット信号が与えられることに基づいて起動したときには下記１１）の処理を行う前に前記初期化スイッチから初期化信号が出力されているか否かを判断する処理を行うものであって前記初期化スイッチから初期化信号が出力されていると判断した場合には前記払出し実行カウンタのバックアップデータをリセットする処理を経て下記１１）の処理へ移行し前記初期化スイッチから初期化信号が出力されていないと判断した場合には当該バックアップデータをリセットする処理を経ることなく下記１１）の処理へ移行するものであるところに特徴を有する。
１）前記入賞センサから前記入賞信号が出力されたか否かを判断する処理
２）前記入賞センサから前記入賞信号が出力されたと判断する毎に前記賞球カウンタの計測結果に予め決められた値を加算し、前記賞球カウンタの加算結果を前記ＲＡＭの賞球エリアに保管する処理
３）前記賞球カウンタの計測結果が予め決められた値「１」以上であるか否かを判断する処理
４）前記賞球カウンタの計測結果が予め決められた値「１」以上であると判断した場合にフラグが予め決められた第１の値に設定されているか否かを判断する処理
５）前記フラグが前記第１の値に設定されていると判断した場合に前記賞球カウンタの計測結果を前記払出しカウンタに設定し、前記払出しカウンタの設定結果を前記ＲＡＭの賞球エリアに保管する処理
６）前記賞球カウンタの計測結果を前記払出しカウンタに設定した場合に前記払出しカウンタの設定結果を前記払出し確認カウンタに設定し、前記払出し確認カウンタの設定結果を前記ＲＡＭの賞球エリアに保管する処理
７）前記払出しカウンタの設定結果を前記払出し確認カウンタに設定した場合にパチンコ球の払出し指令を送信すると共に前記払出しカウンタの設定結果をパチンコ球の払出し数として送信する処理
８）前記払出し指令および前記払出し数のそれぞれを送信した場合に前記フラグに前記第１の値とは異なる第２の値を設定し、前記５）の処理で前記賞球カウンタの計測結果を前記払出しカウンタに設定すること・前記６）の処理で前記払出しカウンタの設定結果を前記払出し確認カウンタに設定すること・前記７）の処理で前記払出し指令および前記払出し数を送信することのそれぞれを禁止する処理
１１）前記メイン制御装置から前記払出し指令および前記払出し数のそれぞれが送信されたか否かを判断する処理
１２）前記メイン制御装置から前記払出し指令および前記払出し数のそれぞれが送信されたと判断した場合に前記払出し実行カウンタに前記払出し数の検出結果を設定する処理
１３）前記払出し実行カウンタに前記払出し数の検出結果を設定した場合に前記払出し装置の球払出しモータを単位量だけ駆動することで前記払出し装置から１個のパチンコ球を放出する処理
１４）前記払出し装置を駆動した場合に前記払出しセンサから前記払出し信号が出力されたか否かを判断する処理
１５）前記払出しセンサから前記払出し信号が出力されたと判断した場合に前記払出し実行カウンタから予め決められた値「１」を減算する処理
１６）前記払出し実行カウンタの減算結果が予め決められた値「０」であると判断するまで前記１３）の処理と前記１４）の処理と前記１５）の処理のそれぞれを繰返す処理
１７）前記払出し実行カウンタの減算結果が予め決められた値「０」であると判断した場合に前記メイン制御装置に前記払出し終了信号を送信する処理
２１）前記払出しセンサから前記払出し信号が出力されたか否かを判断する処理
２２）前記払出しセンサから前記払出し信号が出力されたと判断した場合に前記払出しカウンタから予め決められた値「１」を減算する処理
２３）前記賞球制御装置から前記払出し終了信号が送信されたか否かを判断する処理
２４）前記賞球制御装置から前記払出し終了信号が送信されたと判断した場合に前記払出しカウンタの減算結果を予め決められた値「０」と比較する処理
２５）前記払出しカウンタの減算結果が予め決められた値「０」でないと判断した場合にパチンコホールのホストコンピュータに異常信号を送信する処理
２６）前記払出しカウンタの減算結果が予め決められた値「０」であると判断した場合および予め決められた値「０」でないと判断した場合のそれぞれで前記賞球カウンタの最新の計測結果から前記払出し確認カウンタの設定結果を減算する処理
２７）前記賞球カウンタの最新の計測結果から前記払出し確認カウンタの設定結果を減算した場合に前記フラグを前記第２の値から前記第１の値に変更し、前記５）の処理で前記賞球カウンタの計測結果を前記払出しカウンタに再設定すること・前記６）の処理で前記払出しカウンタの再設定結果を前記払出し確認カウンタに再設定すること・前記７）の処理で前記賞球制御装置に前記払出し指令および前記払出し数を再送信することのそれぞれを許容する処理
上記手段によれば、パチンコ球の払出し中に停電が生じると、メイン制御装置の払出しカウンタおよび賞球制御装置の払出し実行カウンタが別個の記録部に保管される。このため、停電復旧時に一方の記録部から停電直前の払出し実行カウンタを読出し、停電直前の払出し実行カウンタに基づいて払出し装置を駆動制御できるので、停電に影響されることなく正確な個数のパチンコ球が払出される。しかも、停電復旧時にメイン制御装置の記録部から停電直前の払出しカウンタを読出し、賞球制御装置の記録部から停電直前の払出し実行カウンタを読出し、払出しカウンタおよび払出し実行カウンタの整合性をチェックするだけで、停電中にメイン制御装置の払出しカウンタや賞球制御装置の払出し実行カウンタが不正に改竄されたことを簡単に発見できる。
【０００７】
【発明の実施の形態】
以下、本発明の一実施例を図面に基づいて説明する。パチンコホールの台島には、図９に示すように、外枠１が設置されている。この外枠１は前後面が開口する四角筒状をなすものであり、外枠１の前面には、図８に示すように、前面扉２が左側辺部を中心に回動可能に装着されている。また、前面扉２の前面には横長な長方形状の皿板３が左側辺部を中心に回動可能に装着されている。この皿板３の前面には上皿４が固定されており、上皿４内にはパチンコ球Ｐ（図７参照）が貯溜されている。
【０００８】
前面扉２の前面には、図８に示すように、右下部に位置して発射ハンドル５が回動可能に装着されており、発射ハンドル５の後方には、図９に示すように、発射モータ６が装着されている。この発射モータ６の回転軸にはクランク機構を介して打球槌（いずれも図示せず）が連結されており、発射ハンドル５が図８の時計回り方向へ回動操作されると、発射モータ６に電源が与えられ、打球槌が上皿４内のパチンコ球Ｐを上皿４内から弾き出す。
【０００９】
前面扉２の前面には、図８に示すように、矩形枠状の窓枠７が左側辺部を中心に回動可能に装着されており、窓枠７の内周面には透明なガラス窓（図示せず）が保持されている。また、前面扉２の後面には額縁状の機構盤（図示せず）が固定されている。この機構盤には遊技盤８が保持されており、遊技盤８は窓枠７のガラス窓により前方から覆われている。また、前面扉２の前面には右側部に位置して枠鍵９が装着されており、枠鍵９は前面扉２を外枠１に密着した閉鎖状態にロックし、しかも、皿板３および窓枠７を前面扉２に密着した閉鎖状態にロックしている。
【００１０】
遊技盤８の前面には外レール１０および内レール１１が固定されており、打球槌により弾かれたパチンコ球Ｐは外レール１０および内レール１１間を通して遊技盤８内の上部に放出される。また、遊技盤８の前面には複数の障害釘１２が打込まれており、遊技盤８内の上部に放出されたパチンコ球Ｐは複数の障害釘１２に当りながら落下する。
【００１１】
遊技盤８の前面には略円形状の表示用台板１３が固定されており、表示用台板１３には特別図柄表示装置１４が保持されている。この特別図柄表示装置１４はカラー液晶表示器からなるものであり、遊技盤８の前面には特別図柄表示装置１４の下方に位置して特別図柄始動口１５が固定されている。この特別図柄始動口１５は始動口および入賞口に相当するものであり、上面が開口するポケット状をなしている。
【００１２】
特別図柄始動口１５内には始動センサおよび入賞センサに相当する特別図柄始動センサ１６（図６参照）が固定されている。この特別図柄始動センサ１６は近接スイッチからなるものであり、特別図柄始動口１５内にパチンコ球Ｐが入球したことを検出して特別図柄始動信号を出力する。この特別図柄始動信号は始動信号および入賞信号に相当するものであり、以下、特別図柄始動信号を特図始動信号と称する。
【００１３】
遊技盤８の後面には、図９に示すように、センタカバー１７が固定されている。このセンタカバー１７の後面にはメイン回路ボックス１８が固定されており、メイン回路ボックス１８内にはメイン回路基板１９が収納されている。このメイン回路基板１９にはメイン制御装置２０が搭載されており、メイン制御装置２０の入力端子には、図６に示すように、特別図柄始動センサ１６が電気的に接続されている。このメイン制御装置２０はメイン制御手段に相当するものであり、マイクロコンピュータを主体に構成された始動処理部２１，判定処理部２２，賞球処理部２３を有している。
【００１４】
表示用台板１３の後面には、図９に示すように、表示回路基板２４が固定されており、表示回路基板２４はセンタカバー１７により後方から覆われている。この表示回路基板２４には表示制御装置２５が搭載されており、表示制御装置２５の出入力端子には、図６に示すように、メイン制御装置２０の入出力端子が電気的に接続され、表示制御装置２５の出力端子にはドライブ回路２６を介して特別図柄表示装置１４が電気的に接続されている。この表示制御装置２５はマイクロコンピュータを主体に構成されたものであり、特別図柄表示装置１４を駆動制御することに基づいて特別図柄表示装置１４に数字図柄を横３列に表示する。
【００１５】
遊技盤８の前面には、図８に示すように、特別図柄始動口１５の下方に位置して略半円形状の入賞口用台板２７が固定されており、入賞口用台板２７には大入賞口２８が形成されている。この大入賞口２８は入賞口に相当するものであり、前面が開口する四角筒状をなしている。
【００１６】
入賞口用台板２７には扉２９が軸３０を中心に回動可能に装着されており、扉２９は大入賞口ソレノイド３１（図６参照）のプランジャにクランク機構（図示せず）を介して連結されている。この大入賞口ソレノイド３１は入賞口用台板２７の後面に固定されたものであり、大入賞口ソレノイド３１の断電時には、図８に示すように、扉２９が垂直状態に回動することに基づいて大入賞口２８を閉鎖し、大入賞口ソレノイド３１の通電時には扉２９が水平状態に回動することに基づいて大入賞口２８を開放する。
【００１７】
大入賞口ソレノイド３１は、図６に示すように、ドライブ回路３２を介してメイン制御装置２０の出力端子に電気的に接続されており、メイン制御装置２０はドライブ回路３２を通して大入賞口ソレノイド３１に励磁電源を設定時間（例えば３０秒）だけ与えることに基づいて大入賞口２８を設定時間だけ開放する。この開放動作はラウンド動作と称されるものであり、設定回数（例えば１５ラウンド）だけ繰返される（大当り動作）。
【００１８】
メイン制御装置２０の入力端子には近接スイッチからなる大入賞口センサ３３が電気的に接続されている。この大入賞口センサ３３は大入賞口２８内に固定されたものであり、大入賞口２８内にパチンコ球Ｐが入球したことを検出して入賞信号を出力する。尚、大入賞口センサ３３は入賞センサに相当するものである。
【００１９】
前面扉２の後面には、図９に示すように、メインセット３４が前面扉２と同一の側辺部を中心に回動可能に装着されている。このメインセット３４はセンタカバー１７を囲う矩形枠状をなすものであり、メインセット３４の後面には上端部に位置して球タンク３５が固定され、球タンク３５内にはパチンコ球Ｐが貯溜されている。また、メインセット３４の後面にはタンクレール３６および払出し装置３７が固定されている。この払出し装置３７はタンクレール３６を介して球タンク３５内に繋がるものであり、下記のように構成されている。
【００２０】
＜払出し装置３７について＞
メインセット３４には、図７に示すように、払出しケース３８が固定されており、払出しケース３８内には球通路３９が形成されている。この球通路３９の上端部はタンクレール３６内に繋がっており、球通路３９内には球タンク３５内からタンクレール３６を通してパチンコ球Ｐが一列に充填されている。この球通路３９の上下方向中間部にはスプロケット４０が軸４１を中心に回動可能に装着されており、スプロケット４０の外周部には凹状をなす複数の球受け部４２が形成されている。
【００２１】
払出しケース３８内には、図９に示すように、パルスモータからなる球払出しモータ４３が配設されている。この球払出しモータ４３の回転軸には図７のスプロケット４０が連結されており、球払出しモータ４３の停止時には、図７に実線で示すように、球通路３９内の最下部のパチンコ球Ｐがスプロケット４０の１個の球受け部４２内に保持されている。この状態で球払出しモータ４３の回転軸が単位量だけ回転すると、図７に二点鎖線で示すように、スプロケット４０が矢印Ａ方向へ回動することに基づいて１個の球受け部４２内から１個のパチンコ球Ｐが放出され、球通路３９の下端部を通して払出しケース３８内から払出される。払出し装置３７は以上のように構成されている。
【００２２】
メインセット３４の後面には、図９に示すように、賞球回路ボックス４４が固定されている。この賞球回路ボックス４４内には賞球回路基板４５が収納されており、賞球回路基板４５にはサブ制御手段に相当する賞球制御装置４６が搭載されている。この賞球制御装置４６は、図６に示すように、マイクロコンピュータを主体に構成された払出し処理部４７を有するものであり、賞球制御装置４６の入出力端子にはメイン制御装置２０の出入力端子が電気的に接続されている。この賞球制御装置４６の出力端子にはドライブ回路４８を介して球払出しモータ４３が電気的に接続されており、賞球制御装置４６の払出し処理部４７は球払出しモータ４３を駆動制御することに基づいて払出し装置３７内からパチンコ球Ｐを払出す。
【００２３】
メインセット３４には、図９に示すように、球通路４９が設けられている。この球通路４９は払出し装置３７と上皿４とを繋ぐものであり、払出し装置３７内から払出されたパチンコ球Ｐは球通路４９を通して上皿４内に供給される。また、前面扉２の前面には、図８に示すように、下皿５０が固定されている。この下皿５０は上皿４内に通じるものであり、上皿４内から溢れたパチンコ球は上皿４内から下皿５０内に零れ落ちる。
【００２４】
払出し装置３７の球通路３９内には、図７に示すように、下端部に位置して払出しセンサ５１が固定されており、払出しセンサ５１は、図６に示すように、メイン制御装置２０の入力端子および賞球制御装置４６の入力端子に電気的に接続されている。この払出しセンサ５１は近接スイッチからなるものであり、払出し装置３７から上皿４内に払出されるパチンコ球Ｐを検出することに基づいてメイン制御装置２０および賞球制御装置４６に払出し信号を出力する。
【００２５】
メインセット３４の後面には、図９に示すように、上端部に位置して電源基板５２が固定されており、電源基板５２には一対の電源コード５３が電気的に接続されている。これら電源コード５３はパチンコールの電源装置（図示せず）に電気的に接続されたものであり、電源基板５２には電源コード５３を通してＡＣ２４Ｖの主電源Ｖinが与えられる。この電源基板５２には、図１に示すように、発射モータ６が電気的に接続されており、主電源Ｖinの有効時には発射ハンドル５が回動操作されることに基づいて電源基板５２から発射モータ６にＡＣ２４Ｖの駆動電源Ｖout1が印加される。
【００２６】
電源基板５２には整流回路５４が搭載されており、整流回路５４は主電源ＶinをＤＣ２４Ｖの直流電源Ｖout2に変換する。また、電源基板５２には昇圧平滑回路５５が搭載されている。この昇圧平滑回路５５は２４Ｖの直流電源Ｖout2をＤＣ３２Ｖの駆動電源Ｖout3に変換するものであり、主電源Ｖｉｎの有効時にはメイン制御装置２０および賞球制御装置４６が大入賞口ソレノイド３１および球払出しモータ４３に駆動電源Ｖout3を印加する。
【００２７】
電源基板５２にはＤＣ／ＤＣ回路５６が搭載されている。このＤＣ／ＤＣ回路５６はＤＣ２４Ｖの直流電源Ｖout2をＤＣ１２Ｖの駆動電源Ｖout4に変換するものであり、主電源Ｖｉｎの有効時にはＤＣ／ＤＣ回路５６から特別図柄表示装置１４，特別図柄始動センサ１６，大入賞口センサ３３，払出しセンサ５１に駆動電源Ｖout4が印加される。
【００２８】
電源基板５２には予備電源回路５７が搭載されており、予備電源回路５７はＤＣ／ＤＣ回路５６の出力側にダイオード５８を介して電気的に接続されている。この予備電源回路５７はコンデンサを主体に構成されたものであり、主電源Ｖinの遮断時には予備電源回路５７から特別図柄始動センサ１６および払出しセンサ５１に設定時間Ｔだけ駆動電源Ｖout4´が印加される。
【００２９】
電源基板５２にはＤＣ／ＤＣ回路５９が搭載されている。このＤＣ／ＤＣ回路５９はＤＣ２４Ｖの直流電源Ｖout2をＤＣ５Ｖの駆動電源Ｖout5に変換するものであり、主電源Ｖｉｎの有効時にはＤＣ／ＤＣ回路５９からメイン回路基板１９のメイン制御装置２０，表示回路基板２４の表示制御装置２５，賞球回路基板４５の賞球制御装置４６に駆動電源Ｖout5が印加される。
【００３０】
電源基板５２には予備電源回路６０が搭載されており、予備電源回路６０はＤＣ／ＤＣ回路５９の出力側にダイオード６１を介して電気的に接続されている。この予備電源回路６０はコンデンサを主体に構成されたものであり、主電源Ｖinの遮断時には予備電源回路６０からメイン制御装置２０および賞球制御装置４６に駆動電源Ｖout5´が設定時間Ｔだけ印加される。
【００３１】
メイン回路基板１９にはバックアップ電源回路６２が搭載されている。このバックアップ電源６２は２個のダイオード６３とリチウム電池６４とを有するものであり、駆動電源Ｖout5および駆動電源Ｖout5´の有効時には一方のダイオード６３を通してメイン制御装置２０のＲＡＭ６５に駆動電源Ｖout5および駆動電源Ｖout5´が印加され、駆動電源Ｖout5および駆動電源Ｖout5´の遮断時にはリチウム電池６４から他方のダイオード６３を通してＲＡＭ６５にＤＣ３Ｖのバックアップ電源Ｖout6が印加される。
【００３２】
賞球回路基板４５にはバックアップ電源回路６６が搭載されている。このバックアップ電源６６は２個のダイオード６７とリチウム電池６８とを有するものであり、駆動電源Ｖout5および駆動電源Ｖout5´の有効時には一方のダイオード６７を通して賞球制御装置４６のＲＡＭ６９に駆動電源Ｖout5および駆動電源Ｖout5´が印加され、駆動電源Ｖout5および駆動電源Ｖout5´の遮断時にはリチウム電池６８から他方のダイオード６７を通してＲＡＭ６９にＤＣ３Ｖのバックアップ電源Ｖout6が印加される。尚、ＲＡＭ６５およびＲＡＭ６９は記録部に相当するものである。
【００３３】
電源基板５２には停電検出回路７０が搭載されている。この停電検出回路７０は主電源Ｖinの電圧レベルを監視するものであり、主電源Ｖinの電圧レベルが停電レベルに降下することに基づいてメイン制御装置２０および賞球制御装置４６に停電信号を与える。
【００３４】
電源基板５２にはリセット回路７１が搭載されている。このリセット回路７１は駆動電源Ｖout5の電圧レベルを監視するものであり、駆動電源Ｖout5の電圧レベルがリセットレベルに上昇することに基づいて表示制御装置２５，賞球制御装置４６，遅延回路７２にリセット信号を同時（パラレル）に与える。この遅延回路７２の出力端子はメイン制御装置２０の入力端子に電気的に接続されており、メイン制御装置２０には表示制御装置２５および賞球制御装置４６の起動後に遅延回路７２からリセット信号が与えられ、メイン制御装置２０は表示制御装置２５および賞球制御装置４６より遅れて起動する。
【００３５】
電源基板５２の後面には、図９に示すように、初期化スイッチ７３が搭載されており、初期化スイッチ７３は、図６に示すように、メイン制御装置２０の入力端子および賞球制御装置４６の入力端子に電気的に接続されている。この初期化スイッチ７３は前面扉２の開放状態で前方から操作されるものであり、初期化スイッチ７３の操作時には初期化スイッチ７３からメイン制御装置２０および賞球制御装置４６に初期化信号が出力される。
【００３６】
次に上記構成の作用について説明する。尚、下記動作はメイン制御装置２０，表示制御装置２５，賞球制御装置４６がＲＯＭに予め記録された制御プログラムに基づいて実行するものである。
【００３７】
＜特図始動信号処理について＞
初期化スイッチ７３の操作状態でメイン電源Ｖinが投入されると、リセット回路７１から遅延回路７２を通してメイン制御装置２０にリセット信号が与えられ、メイン制御装置２０の始動処理部２１は図２の（ａ）のステップＳ１へ移行する。そして、初期化スイッチ７３からの初期化信号を検出し、ステップＳ２へ移行する。ここで、ＲＡＭ６５の大当りエリアに記録されているバックアップデータをクリアし、ステップＳ３へ移行する。
【００３８】
始動処理部２１はステップＳ３で特別図柄始動センサ１６からの特図始動信号を検出すると、ステップＳ４へ移行し、ＲＡＭ６５の大当りエリアに記録されているカウンタデータの組数を検出する。この大当りエリアは最大で５組のカウンタデータが記録されるものであり、始動処理部２１はカウンタデータが５組未満であることを検出すると、ステップＳ５へ移行する。
【００３９】
始動処理部２１はステップＳ５へ移行すると、カウンタデータに相当する大当りカウンタ値Ｎｏおよび図柄カウンタ値Ｎｚを取得する。これら大当りカウンタＮｏおよび図柄カウンタＮｚは「０」から異なる上限値に加算された後に「０」に戻って加算されるものであり、始動処理部２１は大当りカウンタ値Ｎｏおよび図柄カウンタ値Ｎｚを取得すると、ＲＡＭ６５の大当りエリアに大当りカウンタ値Ｎｏおよび図柄カウンタ値Ｎｚを記録し、ステップＳ６へ移行する。
【００４０】
始動処理部２１はステップＳ６で大当りエリアにカウンタデータが記録されていると判断すると、ステップＳ７へ移行する。ここで、大当りエリアの先頭のカウンタデータ（大当りカウンタ値Ｎｏおよび図柄カウンタ値Ｎｚ）を判定処理部２２に出力し、ステップＳ８へ移行する。
【００４１】
始動処理部２１はステップＳ８でデータクリア指令を検出すると、ステップＳ９へ移行する。このデータクリア指令は判定処理部２２から出力されるものであり、始動処理部２１はステップＳ９へ移行すると、大当りエリアの先頭のカウンタデータをクリアし、ステップＳ３に復帰する。そして、ステップＳ３〜Ｓ９を繰返すことに基づいてカウンタデータの記録，カウンタデータの出力，カウンタデータのクリアを実行する。
【００４２】
＜大当り判定処理について＞
初期化スイッチ７３の操作状態でメイン電源Ｖinが投入されると、リセット回路７１から遅延回路７２を通してメイン制御装置２０にリセット信号が与えられ、メイン制御装置２０の判定処理部２２は図３の（ａ）のステップＳ１１へ移行する。そして、初期化スイッチ７３からの初期化信号を検出し、ステップＳ１２へ移行する。ここで、ＲＡＭ６５の判定エリアに記録されているバックアップデータをクリアし、ステップＳ１３へ移行する。
【００４３】
判定処理部２２はステップＳ１３で上述した始動処理部２１からのカウンタデータを検出すると、カウンタデータをＲＡＭ６５の判定エリアに記録する。そして、ステップＳ１４へ移行し、カウンタデータの大当りカウンタ値Ｎｏを大当り判定値と比較する。この大当り判定値はメイン制御装置２０のＲＯＭに予め記録されたものであり、両者が同一であると判断されたときにはＲＡＭ６５の判定エリアに大当りが記録され、両者が相違していると判断されたときには外れが記録される。
【００４４】
判定処理部２２は判定結果を記録すると、ステップＳ１５またはＳ１６へ移行し、カウンタデータの図柄カウンタ値Ｎｚに基づいて大当り図柄または外れ図柄を設定し、ステップＳ１７へ移行する。尚、大当り図柄は左列，中列，右列が同一な３個の組合わせ図柄を称するものである。また、外れ図柄は左列，中列，右列が相違する３個の組合わせ図柄を称するものである。
【００４５】
判定処理部２２はステップＳ１７へ移行すると、表示制御装置２５に図柄変動指令を出力する。すると、表示制御装置２５は特別図柄表示装置１４の各列の図柄を「０」→「１」→「２」……「８」→「９」→「０」→「１」……の順序で変動させる。
【００４６】
判定処理部２２は図柄変動指令を出力すると、ステップＳ１８へ移行し、ステップＳ１５の図柄設定結果またはステップＳ１６の図柄設定結果を表示制御装置２５に出力する。すると、表示制御装置２５は特別図柄表示装置１４の各列を設定図柄で変動停止させ、遊技者に大当りまたは外れを知らせる。
【００４７】
判定処理部２２は図柄設定結果（図柄停止指令）を出力すると、ステップＳ１９へ移行する。ここで、ＲＡＭ６５の判定エリアに大当りが記録されていないと判断すると、ステップＳ２４へ移行し、始動処理部２１に上述のデータクリア指令を出力することに基づいて処理済みのカウンタデータ（大当りエリアの先頭のカウンタデータ）をクリアさせる。また、ステップＳ１９で判定エリアに大当りが記録されていると判断すると、ステップＳ２０へ移行する。
【００４８】
判定処理部２２はステップＳ２０へ移行すると、ラウンドカウンタＮｒに設定値（例えば１５）をセットする（Ｎｒ←１５）。そして、ステップＳ２１へ移行し、大入賞口ソレノイド３１に駆動電源Ｖout3を設定時間だけ印加することに基づいて大入賞口２８を設定時間だけ開放する。この後、ステップＳ２２へ移行し、ラウンドカウンタ値Ｎｒから「１」を減算してステップＳ２３へ移行する。
【００４９】
判定処理部２２はステップＳ２３でラウンドカウンタ値Ｎｒが「０」でないと判断すると、ステップＳ２１に復帰し、ステップＳ２１〜２３を繰返す。この後、ラウンドカウンタ値Ｎｒが「０」まで減算されたと判断すると、ステップＳ２３からＳ２４へ移行し、始動処理部２１にデータクリア指令を出力することに基づいて処理済みのカウンタデータをクリアさせる。
【００５０】
＜入賞信号処理について＞
初期化スイッチ７３の操作状態でメイン電源Ｖinが投入されると、リセット回路７１から遅延回路７２を通してメイン制御装置２０にリセット信号が与えられ、メイン制御装置２０の賞球処理部２３は図４の（ａ）のステップＳ３１へ移行する。そして、初期化スイッチ７３からの初期化信号を検出し、ステップＳ３２へ移行する。ここで、ＲＡＭ６５の賞球エリアに記録されているバックアップデータをクリアし、ステップＳ３３へ移行する。
【００５１】
賞球処理部２３はステップＳ３３で大入賞口センサ３３からの入賞信号を検出すると、ステップＳ３４へ移行する。ここで、「賞球カウンタＮａ←Ｎａ＋Ｃ1 （例えば１５）」を実行することに基づいて賞球カウンタ値ＮａをＲＡＭ６５の賞球エリアに記録し、ステップＳ３７へ移行する。また、ステップＳ３５で特別図柄始動センサ１６からの特図始動信号を検出すると、ステップＳ３６へ移行する。ここで、「賞球カウンタＮａ←Ｎａ＋Ｃ2 （例えば５）」を実行することに基づいて賞球カウンタ値ＮａをＲＡＭ６５の賞球エリアに記録し、ステップＳ３７へ移行する。
【００５２】
賞球処理部２３はステップＳ３７で「賞球カウンタ値Ｎａ≧１」を検出すると、ステップＳ３８へ移行し、フラグＦの状態を判断する。このフラグＦは起動時に「１」にセットされたり、後述のステップＳ４８で「１」にセットされるものであり、賞球処理部２３はステップＳ３８で「Ｆ＝１」を検出すると、ステップＳ３９で払出しカウンタＮｂに賞球カウンタ値Ｎａをセットする（Ｎｂ←Ｎａ）。そして、払出しカウンタ値ＮｂをＲＡＭ６５の賞球エリアに記録し、ステップＳ４０へ移行する。
【００５３】
賞球処理部２３はステップＳ４０へ移行すると、払出し確認カウンタＮｃに払出しカウンタ値Ｎｂをセットする（Ｎｃ←Ｎｂ）。そして、払出し確認カウンタ値ＮｃをＲＡＭ６５の賞球エリアに記録し、ステップＳ４１へ移行する。ここで、賞球制御装置４６の払出し処理部４７にパチンコ球Ｐの払出し指令および払出し数（＝払出しカウンタ値Ｎｂ）を出力し、フラグＦに「０」を投入して（Ｆ←０）ステップＳ４２へ移行する。
【００５４】
賞球処理部２３はステップＳ４２で払出しセンサ５１からの払出し信号を検出すると、ステップＳ４３へ移行する。ここで、賞球エリアの払出しカウンタ値Ｎｂから「１」を減算し（Ｎｂ←Ｎｂ−１）、ステップＳ４４へ移行する。この払出し信号は、上述したように、払出し装置３７から１個のパチンコ球Ｐが払出される毎に出力されるものであり、「Ｎｂ←Ｎｂ−１」の実行に基づいてパチンコ球Ｐの未払い数が計測される。
【００５５】
賞球処理部２３はステップＳ４４で払出し終了信号を検出すると、ステップＳ４５へ移行する。この払出し終了信号は、後述するように、払出し処理部４７が「Ｎｂ」個のパチンコ球Ｐを払出したことを確認することに基づいて出力するものであり、賞球処理部２３はステップＳ４５で賞球エリアの払出しカウンタ値Ｎｂが「０」に減算されていることを検出すると、自身の払出し情報と払出し処理部４７の払出し情報との整合性が取れていると判断し、ステップＳ４５からＳ４６へ移行する。
【００５６】
賞球処理部２３はステップＳ４５で賞球エリアの払出しカウンタ値Ｎｂが「０」に減算されていないと判断すると、自身の払出し情報と払出し処理部４７の払出し情報との整合性が取れていないと判断し、ステップＳ４７へ移行する。この賞球処理部２３の払出しカウンタ値Ｎｂおよび払出し処理部４７の払出し終了信号はメイン回路基板１９や賞球回路基板４５の不正交換等の違法行為がない限り整合するものであり、賞球処理部２３はステップＳ４７へ移行すると、不正行為があったと判断する。そして、パチンコホールのホストコンピュータ（図示せず）に異常信号を出力し、ステップＳ４６へ移行する。
【００５７】
賞球処理部２３はステップＳ４６へ移行すると、「賞球カウンタＮａ←Ｎａ−払出し確認カウンタＮｃ」を実行することに基づいてパチンコ球Ｐの未払い数を演算する。そして、ステップＳ４８でフラグＦに「１」を投入し（Ｆ←１）、ステップ３３に復帰する。従って、特別図柄始動口１５内および大入賞口２８内にパチンコ球Ｐが入球する毎に賞球エリアの賞球カウンタ値Ｎａに設定値Ｃ1 およびＣ2 が加算され、パチンコ球Ｐの払出し動作が停止しているとき（Ｆ＝１のとき）に払出し指令および払出し数Ｎｂが出力される。これと共に、払出し処理部４７から払出し終了信号が出力される毎に賞球エリアの賞球カウンタＮａが減算され、最新の払出し個数Ｎａが演算される。
【００５８】
＜賞球払出し処理について＞
初期化スイッチ７３の操作状態でメイン電源Ｖinが投入されると、リセット回路７１から賞球制御装置４６にリセット信号が与えられる。すると、賞球制御装置４６の払出し処理部４７はメイン制御装置２０の始動処理部２１，判定処理部２２，賞球処理部２３に先立って起動し、図５の（ａ）のステップＳ５１へ移行する。ここで、初期化スイッチ７３からの初期化信号を検出し、ステップＳ５２へ移行する。そして、ＲＡＭ６９の払出しエリアに記録されているバックアップデータをクリアし、ステップＳ５３へ移行する。
【００５９】
払出し処理部４７は賞球処理部２３から出力される上述の払出し指令および払出し数（払出しカウンタ値Ｎｂ）をステップＳ５３で検出すると、ステップＳ５４へ移行する。ここで、払出し実行カウンタＮｂ´に払出しカウンタ値Ｎｂを投入（Ｎｂ´←Ｎｂ）することに基づいて払出し実行カウンタＮｂ´をセットし、ＲＡＭ６９の払出しエリアに記録する。
【００６０】
払出し処理部４７は払出し実行カウンタＮｂ´をセットすると、ステップＳ５５へ移行し、球払出しモータ４３に駆動電源Ｖout3を印加することに基づいて球払出しモータ４３の回転軸を単位量だけ駆動する。そして、ステップＳ５６で払出しセンサ５１からの払出し信号を検出すると、１個のパチンコ球Ｐが払出されたことを確認し、ステップＳ５７へ移行する。ここで、払出しエリアの払出し実行カウンタ値Ｎｂ´から「１」を減算する（Ｎｂ´←Ｎｂ´−１）ことに基づいてパチンコ球Ｐの未払い数を演算し、ステップＳ５８へ移行する。
【００６１】
払出し処理部４７はステップＳ５８で「払出し実行カウンタＮｂ´＝０」を検出すると、パチンコ球Ｐの払出し動作が終了したと判断する。そして、ステップＳ５９へ移行し、メイン制御装置２０の賞球処理部２３に上述の払出し終了信号を出力してステップＳ５３に復帰する。従って、払出し処理部４７が払出し動作の停止時に賞球処理部２３からの払出し指令および払出し数Ｎｂを検出し、払出し動作の終了後に次の払出し指令および払出し数Ｎｂを検出することになる。
【００６２】
＜停電時の特図始動信号処理について＞
遊技中に停電が発生したときには停電検出回路７０からメイン制御装置２０に停電信号が出力される。すると、メイン制御装置２０の始動処理部２１は図２の（ｂ）のステップＳ６１へ移行する。ここで、特別図柄始動センサ１６からの特図始動信号がないことを検出すると、ステップＳ６４へ移行し、設定時間Ｔの経過を判断する。この設定時間Ｔは予備電源回路５７から特別図柄始動センサ１６および払出しセンサ５１に予備電源Ｖout4´が印加される時間に相当するものであり、始動処理部２１はステップＳ６４で設定時間Ｔが経過していないと判断すると、ステップＳ６１に復帰し、ステップＳ６１およびＳ６４を繰返す。
【００６３】
始動処理部２１はステップＳ６１およびＳ６４を繰返す間に特図始動信号を検出すると、ステップＳ６１からＳ６２へ移行する。ここで、ＲＡＭ６５の大当りエリアのカウンタデータの記録数が５個であることを検出すると、処理を終える。また、カウンタデータの記録数が４個以下であることを検出すると、ステップＳ６３へ移行し、特図始動信号の検出タイミングで大当りカウンタ値および図柄カウンタ値を取得し、大当りエリアに記録する。従って、メイン制御装置２０の予備電源Ｖout5´が遮断された後にはＲＡＭ６５の大当りエリアに停電直前のカウンタデータが保管される。
【００６４】
＜停電時の大当り判定処理について＞
遊技中に停電が発生したときには停電検出回路７０からメイン制御装置２０に停電信号が出力される。このとき、ＲＡＭ６５の判定エリアにカウンタデータおよびラウンドカウンタ値Ｎｒが記録されていると、当該カウンタデータおよびラウンドカウンタ値Ｎｒが予備電源Ｖout5´の遮断後に保管される。
【００６５】
＜停電時の入賞信号処理について＞
遊技中に停電が発生したときには停電検出回路７０からメイン制御装置２０に停電信号が出力される。すると、メイン制御装置２０の賞球処理部２３は図４の（ｂ）のステップＳ７１へ移行する。ここで、払出しセンサ５１からの払出し信号がないことを検出すると、ステップＳ７２へ移行する。そして、特別図柄始動センサ１６からの特図始動信号がないことを検出すると、ステップＳ７７へ移行する。
【００６６】
賞球処理部２３はステップＳ７７で設定時間Ｔが経過していないと判断すると、ステップＳ７１に復帰し、Ｓ７１，Ｓ７２，Ｓ７７を繰返す。この設定時間Ｔ（特別図柄始動センサ１６および払出しセンサ５１に対する予備電源Ｖout4´の印加時間）は払出し装置３７のスプロケット４０から落下するパチンコ球Ｐが払出しセンサ５１に到達する時間より若干長く設定されたものであり、スプロケット４０が停電直前にパチンコ球Ｐを放出したときには当該パチンコ球Ｐが設定時間Ｔの範囲内で払出しセンサ５１に到達し、払出しセンサ５１から払出し信号が出力される。
【００６７】
賞球処理部２３はステップＳ７１で払出し信号を検出すると、ステップＳ７３へ移行し、「払出しカウンタＮｂ←Ｎｂ−１」を実行することに基づいてＲＡＭ６５の賞球エリアに記録されている払出しカウンタ値Ｎｂを書換え、停電直前にスプロケット４０から放出されたパチンコ球Ｐを計測する。そして、ステップＳ７４で「Ｎｂ＝０」を検出したときにはステップＳ７５へ移行し、「Ｎａ←Ｎａ−Ｎｃ」を実行することに基づいてＲＡＭ６５の賞球エリアに記録されている賞球カウンタ値Ｎａを書換える。
【００６８】
賞球処理部２３は設定時間Ｔの経過前に特別図柄始動センサ１６からの特図始動信号を検出すると、ステップＳ７２からＳ７６へ移行し、「賞球カウンタ値Ｎａ←Ｎａ＋Ｃ2 」を実行することに基づいて賞球カウンタ値Ｎａを書換える。従って、メイン制御装置２０の予備電源Ｖout5´が遮断された後にはＲＡＭ６５の賞球エリアに停電直前の賞球カウンタ値Ｎａ，払出しカウンタ値Ｎｂ，払出し確認カウンタ値Ｎｃが保管される。
【００６９】
＜停電時の払出し処理について＞
遊技中に停電が発生したときには停電検出回路７０から賞球制御装置４６に停電信号が出力される。すると、賞球制御装置４６の払出し処理部４７は図５の  （ｂ）のステップＳ８１へ移行する。
【００７０】
払出し処理部４７はステップＳ８１で払出しセンサ５１からの払出し信号がないことを検出すると、ステップＳ８３へ移行する。ここで、設定時間Ｔが経過していないと判断すると、ステップＳ８１およびＳ８３を繰返す。この設定時間Ｔは、上述したように、払出し装置３７から放出されたパチンコ球Ｐが払出しセンサ５１に到達する時間より若干長く設定されたものであり、払出し装置３７が停電直前にパチンコ球Ｐを放出したときには当該パチンコ球Ｐが設定時間Ｔの範囲内で払出しセンサ５１に到達し、払出しセンサ５１から払出し信号が出力されることになる。
【００７１】
払出し処理部４７はステップＳ８１で払出し信号を検出すると、ステップＳ８２へ移行し、「払出し実行カウンタＮｂ´←Ｎｂ´−１」を実行することに基づいてＲＡＭ６９の払出しエリアに記録されている払出し実行カウンタ値Ｎｂ´を書換え、停電直前に払出し装置３７から放出されたパチンコ球Ｐを計測する。従って、メイン制御装置２０の予備電源Ｖout5´および賞球制御装置４６の予備電源Ｖout5´が遮断された後にはメイン制御装置２０のＲＡＭ６５および賞球制御装置４６のＲＡＭ６９に整合性が取れた同一の払出し情報（払出しカウンタ値Ｎｂおよび払出し実行カウンタ値Ｎｂ´）が保管される。
【００７２】
＜停電復旧時の特図始動信号処理について＞
停電の復旧時にリセット回路７１から遅延回路７２を通してメイン制御装置２０にリセット信号が与えられると、メイン制御装置２０の始動処理部２１は図２の（ａ）のステップＳ１へ移行する。ここで、初期化スイッチ７３の非操作を検出し、ＲＡＭ６５の大当りエリアをクリアせずにステップＳ３へ移行する。従って、大当りエリアに停電直前のカウンタデータが記録されているときにはステップＳ７で当該カウンタデータが判定処理部２２に出力され、大当りエリアにカウンタデータが記録されていないときには特図始動信号の検出タイミングでカウンタデータが取得され、判定処理部２２に出力される。
【００７３】
＜停電復旧時の大当り判定処理について＞
停電の復旧時にリセット回路７１から遅延回路７２を通してメイン制御装置２０にリセット信号が与えられると、メイン制御装置２０の判定処理部２２は図３の（ａ）のステップＳ１１へ移行する。ここで、初期化スイッチ７３の非操作を検出し、ステップＳ２５の停電復旧処理へ移行する。そして、ＲＡＭ６５の判定エリアにカウンタデータが記録されているときには、図３の（ｂ）のステップＳ９１で当該カウンタデータをクリアし、ステップＳ９２へ移行する。
【００７４】
判定処理部２２はステップＳ９２でＲＡＭ６５の判定エリアにラウンドカウンタ値Ｎｒが記録されていないと判断したときには停電復旧処理を終え、図３の  （ａ）のステップＳ１３へ移行する。従って、始動処理部２１から出力される停電直前のカウンタデータまたは停電復旧後の新たなカウンタデータに基づいて大当りの判定動作，図柄の設定動作が行われる。
【００７５】
判定処理部２２は図３の（ｂ）のステップＳ９２でＲＡＭ６５の判定エリアにラウンドカウンタ値Ｎｒが記録されていると判断すると、ステップＳ９３へ移行する。そして、大入賞口ソレノイド３１を駆動することに基づいて大入賞口２８を開放し、ステップＳ９４へ移行する。
【００７６】
判定処理部２２はステップＳ９４でラウンドカウンタ値Ｎｒから「１」を減算すると、ステップＳ９５で「ラウンドカウンタ値Ｎｒ＝０」を検出することに基づいて停電復旧処理を終え、図３の（ａ）のステップＳ１３へ移行する。従って、始動処理部２１から出力される停電直前のカウンタデータまたは停電復旧後の新たなカウンタデータに基づいて大当りの判定動作，図柄の設定動作が行われることになる。
【００７７】
＜停電復旧時の入賞信号処理について＞
停電の復旧時にリセット回路７１から遅延回路７２を通してメイン制御装置２０にリセット信号が与えられると、メイン制御装置２０の賞球処理部２３はフラグＦに「１」を投入し、図４の（ａ）のステップＳ３１へ移行する。ここで、初期化スイッチ７３の非操作を検出し、ステップＳ４９の停電復旧処理へ移行する。そして、図４の（ｃ）のステップＳ１０１でＲＡＭ６５の賞球エリアから払出しカウンタ値Ｎｂを読出し、「払出しカウンタ値Ｎｂ＝０」を検出したときには停電復旧処理を終える。
【００７８】
賞球処理部２３は停電復旧処理を終えると、図４の（ａ）のステップＳ３３へ移行する。従って、ステップＳ３７で「賞球カウンタ値Ｎａ≧１」が検出されたときには停電直前の賞球カウンタ値Ｎａに基づいて払出しカウンタ値Ｎｂおよび払出し確認カウンタ値Ｎｃがセットされ、賞球制御装置４６の払出し処理部４７に払出し指令および払出しカウンタ値Ｎｂが出力される。また、ステップＳ３７で「賞球カウンタ値Ｎａ＝０」が検出されたときにはステップＳ３３およびＳ３５で入賞信号および特図始動信号が検出されることに基づいて払出し処理部４７に払出し指令および払出しカウンタ値Ｎｂが出力される。
【００７９】
賞球処理部２３は図４の（ｃ）のステップＳ１０１で「払出しカウンタ値Ｎｂ≧１」を検出すると、ステップＳ１０２で払出し処理部４７に払出し指令を出力し、フラグＦに「０」を投入する（Ｆ←０）。そして、停電復旧処理を終え、図４の（ａ）のステップＳ３３へ移行する。
【００８０】
＜停電復旧時の払出し処理について＞
停電の復旧時にリセット回路７１から賞球制御装置４６にリセット信号が与えられると、賞球制御装置４６の払出し処理部４７は図５の（ａ）のステップＳ５１へ移行する。ここで、初期化スイッチ７３の非操作を検出し、ＲＡＭ６９の払出しエリアをクリアせずにステップＳ５３へ移行する。
【００８１】
払出し処理部４７はステップＳ５３で賞球処理部２３からの払出し指令を検出すると、ステップＳ５４で払出しエリアの払出し実行カウンタ値Ｎｂ´をセットし、ステップＳ５５で球払出しモータ４３を駆動する。そして、ステップＳ５６で払出しセンサ５１からの払出し信号を検出したときにはステップＳ５７で払出し実行カウンタ値Ｎｂ´から「１」を減算し、ステップＳ５８で「払出し実行カウンタ値Ｎｂ´＝０」を検出したときにはステップＳ５９で払出し終了信号を出力する。
【００８２】
このとき、賞球処理部２３は図４の（ａ）のステップＳ４２で払出しセンサ５１からの払出し信号を検出し、ステップＳ４３で払出しカウンタ値Ｎｂを減算する。そして、ステップＳ４４で払出し処理部４７からの払出し終了信号を検出したときにはステップＳ４５へ移行し、払出しカウンタ値Ｎｂを「０」と比較することに基づいて自身の払出し情報と払出し処理部４７の払出し情報との整合性をチェックする。
【００８３】
上記実施例によれば、停電時にメイン制御装置２０の払出しカウンタ値Ｎｂおよび賞球制御装置４６の払出し実行カウンタ値Ｎｂ´を別個のＲＡＭ６５およびＲＡＭ６９に保管した。このため、停電復旧時に賞球制御装置４６のＲＡＭ６９から停電直前の払出し実行カウンタ値Ｎｂ´を読出し、停電直前の払出し実行カウンタ値Ｎｂ´に基づいて払出し装置３７を駆動制御できるので、停電に影響されることなく正確な個数のパチンコ球Ｐが払出される。
【００８４】
また、停電復旧時にメイン制御装置２０の払出しカウンタ値Ｎｂが「０」になるタイミングで賞球制御装置４６から払出し終了信号が出力されるか否かをチェックすることに基づいてメイン制御装置２０の払出しカウンタ値Ｎｂと賞球制御装置４６の払出し実行カウンタ値Ｎｂ´との整合性を判断したので、メイン制御装置２０の払出しカウンタ値Ｎｂや賞球制御装置４６の払出し実行カウンタ値Ｎｂ´が停電中に不正改竄されたことを簡単に発見できる。
【００８５】
また、メイン制御装置２０および賞球制御装置４６をメイン回路ボックス１８内および賞球回路ボックス４４内に収納した。このため、メイン制御装置２０および賞球制御装置４６に手を触れ難くなるので、メイン制御装置２０および賞球制御装置４６を不正に改竄し難くなる。
また、メイン制御装置２０のＲＡＭ６５および賞球制御装置４６のＲＡＭ６９をメイン回路ボックス１８内および賞球回路ボックス４４内に収納された別個のものから構成した。このため、ＲＡＭ６５およびＲＡＭ６９に手を触れ難くなるので、ＲＡＭ６５およびＲＡＭ６９を不正に改竄し難くなる。
【００８６】
尚、上記実施例においては、払出しカウンタ値Ｎｂが「０」になるタイミングで払出し終了信号が出力されるか否に基づいて払出しカウンタ値Ｎｂおよび払出し実行カウンタ値Ｎｂ´の整合性をチェックしたが、これに限定されるものではなく、例えば払出しカウンタ値Ｎｂおよび払出し実行カウンタ値Ｎｂ´を直接的に比較することに基づいて両者の整合性をチェックしても良い。
【００８７】
また、上記実施例においては、メイン制御装置２０が払出しカウンタ値Ｎｂおよび払出し実行カウンタ値Ｎｂ´の整合性をチェックするように構成したが、これに限定されるものではなく、例えば賞球制御装置４６が両者の整合性をチェックするように構成しても良い。
【００８８】
また、上記実施例においては、払出しセンサ５１を払出し装置３７の球通路３９内に配設したが、これに限定されるものではなく、例えば払出し装置３７と上皿４とを繋ぐ球通路４９内に配設しても良い。
【００８９】
また、上記実施例においては、主電源Ｖinの遮断時にメイン制御装置２０および賞球制御装置４６に予備電源Ｖout5´を印加し、特別図柄始動センサ１６および払出しセンサ５１に予備電源Ｖout4´を印加したが、これに限定されるものではなく、例えばメイン制御装置２０，賞球制御装置４６，特別図柄始動センサ１６，払出しセンサ５１を主電源Ｖinの遮断と同時に駆動停止させても良い。
【００９０】
また、上記実施例においては、特別図柄始動口１５内に特別図柄始動センサ１６を配設したが、これに限定されるものではなく、例えば特別図柄始動口１５内に入球したパチンコ球を機外へ排出する裏樋内に配設しても良い。この構成の場合、パチンコ球Ｐが特別図柄始動口１５内を通過することに基づいて特別図柄始動センサ１６から特図始動信号が出力されることになる。
【００９１】
また、上記実施例においては、大当りカウンタ値Ｎｏ，図柄カウンタ値Ｎｚ，ラウンドカウンタ値Ｎｒ，賞球カウンタ値Ｎａ，払出しカウンタ値Ｎｂ，払出し確認カウンタ値Ｎｃをメイン制御装置２０のＲＡＭ６５に保管したが、これに限定されるものではなく、例えばメイン回路基板１９にバックアップ専用のＲＯＭを搭載し、大当りカウンタ値Ｎｏ〜払出し確認カウンタ値Ｎｃを当該ＲＯＭに保管しても良い。
【００９２】
また、上記実施例においては、払出し実行カウンタ値Ｎｂ´を賞球制御装置４６のＲＡＭ６９に保管したが、これに限定されるものではなく、例えば賞球回路基板４５にバックアップ専用のＲＯＭを搭載し、払出し実行カウンタ値Ｎｂ´を当該ＲＯＭに保管しても良い。
【００９３】
また、上記実施例においては、メイン制御装置２０および賞球制御装置４６が払出し情報としてパチンコ球Ｐの未払い数ＮｂおよびＮｂ´を演算するように構成したが、これに限定されるものではなく、例えばパチンコ球Ｐの支払い済数を演算するように構成しても良い。
【００９４】
また、上記実施例においては、メイン制御装置２０の払出しカウンタ値Ｎｂおよび賞球制御装置４６の払出し実行カウンタ値Ｎｂ´を別個のＲＡＭ６５および６９に保管したが、これに限定されるものではなく、例えば単一のＲＡＭにメイン制御装置２０用のバックアップ領域および賞球制御装置４６用のバックアップ領域を設け、メイン制御装置２０の払出しカウンタ値Ｎｂおよび賞球制御装置４６の払出し実行カウンタ値Ｎｂ´をメイン制御装置２０用のバックアップ領域および賞球制御装置４６用のバックアップ領域に保管しても良い。
【００９５】
また、上記実施例においては、大当りの発生に連動して大当り動作が行われる１種のパチンコ機に本発明を適用したが、これに限定されるものではなく、例えば３種のパチンコ機に適用しても良い。このパチンコ機は大当りの発生に連動して特別入賞口が開放されるものであり、特別入賞口の開放時に特別入賞口内にパチンコ球が入球することに基づいて大当り動作が行われる。この場合、ポケット状の特別図柄始動口１５に変えて上下面が開口するコ字枠状の特別図柄始動ゲートを用い、パチンコ球Ｐが特別図柄始動ゲート内を通過することに基づいて特別図柄始動センサ１６から特図始動信号が出力されるようにすると良い。
【００９６】
また、上記実施例においては、大当りの発生に連動して大当り動作が行われる１種のパチンコ機に本発明を適用したが、これに限定されるものではなく、例えば２種のパチンコ機に適用しても良い。このパチンコ機はパチンコ球が入賞口内に入賞したり、コ字枠状の入賞ゲート内を通過することに基づいて電動式の役物が開放されるものであり、役物の開放時に役物内の特別入賞口にパチンコ球が入球することに基づいて大当り動作が行われる。上記実施例には特許請求の範囲に記載された発明に加えて次の［発明１］〜［発明４］のそれぞれが記載されている。
［発明１］
払出し装置を駆動制御することに基づいて払出し装置から上皿内にパチンコ球を払出すサブ制御手段と、前記サブ制御手段にパチンコ球の払出し指令を出力するメイン制御手段と、前記払出し装置からパチンコ球が放出されることに基づいて払出し信号を出力する払出しセンサとを備え、主電源の有効時には前記サブ制御手段および前記メイン制御手段が前記払出しセンサからの払出し信号に基づいて同一の払出し情報を取得し、主電源の遮断時には前記メイン制御手段の払出し情報および前記サブ制御手段の払出し情報が別個の記録部に保管されることを特徴とするパチンコ機。この発明１によれば、パチンコ球の払出し中に停電が生じると、メイン制御手段の払出し情報およびサブ制御手段の払出し情報が別個の記録部に保管される。このため、停電復旧時に一方の記録部から停電直前の払出し情報を読出し、停電直前の払出し情報に基づいて払出し装置を駆動制御できるので、停電に影響されることなく正確な個数のパチンコ球が払出される。
［発明２］
前記メイン制御手段は主電源の復旧時に自身の払出し情報とサブ制御手段の払出し情報との整合性を判断することを特徴とする発明１記載のパチンコ機。この発明２によれば、停電復旧時にメイン制御手段の記録部およびサブ制御手段の記録部から停電直前の払出し情報を読出し、両払出し情報の整合性をチェックするだけで、停電中にメイン制御手段の払出し情報やサブ制御手段の払出し情報が不正に改竄されたことを簡単に発見できる。
［発明３］
前記メイン制御手段および前記サブ制御手段は別個のボックス内に収納されていることを特徴とする発明１または２記載のパチンコ機。この発明３によれば、メイン制御手段およびサブ制御手段に手を触れ難くなるので、メイン制御手段およびサブ制御手段を不正に改竄し難くなる。
［発明４］
前記メイン制御手段の記録部および前記サブ制御手段の記録部は前記メイン制御手段のボックス内および前記サブ制御手段のボックス内に収納された別個のものからなることを特徴とする発明３記載のパチンコ機。この発明４によれば、メイン制御手段の記録部およびサブ制御手段の記録部に手を触れ難くなるので、メイン制御手段の記録部およびサブ制御手段の記録部を不正に改竄し難くなる。
【００９７】
【発明の効果】
以上の説明から明らかなように、本発明のパチンコ機は次の効果を奏する。
請求項１記載の手段によれば、主電源の遮断時にメイン制御装置の払出しカウンタおよび賞球制御装置の払出し実行カウンタを別個の記録部に保管した。このため、停電復旧時に一方の記録部から停電直前の払出し実行カウンタを読出し、停電直前の払出し実行カウンタに基づいて払出し装置を駆動制御できるので、停電に影響されることなく正確な個数のパチンコ球が払出される。しかも、主電源の復旧時にメイン制御装置の払出しカウンタと賞球制御装置の払出し実行カウンタとの整合性を判断するようにしたので、メイン制御装置の払出しカウンタや賞球制御装置の払出し実行カウンタが停電中に不正に改竄されたことを簡単に発見できる。
【図面の簡単な説明】
【図１】本発明の一実施例を示す図（電源の供給経路等を示すブロック図）
【図２】始動処理部の処理内容を示すフローチャート（ａは特図始動信号処理を示すフローチャート、ｂは停電処理を示すフローチャート）
【図３】判定処理部の処理内容を示すフローチャート（ａは大当り判定処理を示すフローチャート、ｂは停電復旧処理を示すフローチャート）
【図４】賞球処理部の処理内容を示すフローチャート（ａは入賞信号処理を示すフローチャート、ｂは停電処理を示すフローチャート、ｃは停電復旧処理を示すフローチャート）
【図５】払出し処理部の処理内容を示すフローチャート（ａは払出し処理を示すフローチャート、ｂは停電処理を示すフローチャート）
【図６】電気的構成を示すブロック図
【図７】払出し装置の内部構成を示す図
【図８】全体構成を示す前面図
【図９】全体構成を示す後面図
【符号の説明】
Ｐはパチンコ球、４は上皿、１８はメイン回路ボックス（ボックス）、２０はメイン制御装置（メイン制御手段）、３７は払出し装置、４４は賞球回路ボックス（ボックス）、４６は賞球制御装置（サブ制御手段）、５１は払出しセンサ、６５はＲＡＭ（記録部）、６９はＲＡＭ（記録部）を示す。
【図１】
0004186001.tif 000002
【図２】
0004186001.tif 000003
【図３】
0004186001.tif 000004
【図４】
0004186001.tif 000005
【図５】
0004186001.tif 000006
【図６】
0004186001.tif 000007
【図７】
0004186001.tif 000008
【図８】
0004186001.tif 000009
【図９】
0004186001.tif 000010